(57)【要約】【課題】遊技機の本体の外周から少なくとも一部がはみ出るものにおいて、遊技機の運搬時の取り扱いを容易としつつ設置時の作業性を向上させる。【解決手段】本体の遊技領域が透明板で覆われた遊技機に用いられる遊技機用表示装置において、透明板の外側に配設され、表示面を有する表示部と、表示部が本体の外周の範囲内に収まる第１状態と、表示部が少なくとも一部で本体の外周の範囲から外れて表示面を前方から視認可能とする第２状態とに変化可能に、表示部を本体に支持する支持部と、を備えるものである。【選択図】図１
2019122434.tif 000002
【特許請求の範囲】
【請求項１】
本体の遊技領域が透明板で覆われた遊技機に用いられる遊技機用表示装置であって、
前記透明板の外側に配設され、表示面を有する表示部と、
前記表示部が前記本体の外周の範囲内に収まる第１状態と、前記表示部が少なくとも一部で前記本体の外周の範囲から外れて前記表示面を前方から視認可能とする第２状態とに変化可能に、前記表示部を前記本体に支持する支持部と、
を備える遊技機用表示装置。
【請求項２】
請求項１に記載の遊技機用表示装置であって、
前記支持部は、前記本体の前面に位置する部材のうち前面からの高さが最も高い部材の高さ範囲内に前記第１状態の前記表示部が収まるように、前記表示部を支持する
遊技機用表示装置。
【請求項３】
請求項１または２に記載の遊技機用表示装置であって、
前記表示部を前記第２状態でロックするロック部を備える
遊技機用表示装置。
【請求項４】
請求項３に記載の遊技機用表示装置であって、
前記ロック部は、ロックの解除操作が行われる解除操作部を有し、
前記解除操作部は、前記透明板に覆われる位置に設けられる
遊技機用表示装置。
【請求項５】
請求項１ないし４のいずれか１項に記載の遊技機用表示装置であって、
前記支持部は、前記第１状態で前記表示面が前記透明板側を向き、前記第２状態で前記表示面が前方を向くように、前記表示部を軸回りに回動可能に支持する
遊技機用表示装置。
【請求項６】
請求項１ないし５のいずれか１項に記載の遊技機用表示装置であって、
前記表示部として、前記表示面に意匠が設けられた意匠表示部と、前記表示面に遊技に関する情報が表示される情報表示部とを有する
遊技機用表示装置。
【発明の詳細な説明】
【技術分野】
【０００１】
本発明は、遊技機に用いられる遊技機用表示装置に関する。
【背景技術】
【０００２】
従来、この種の遊技機としては、遊技領域が設けられた本体と、本体の遊技領域を覆う透明板と、透明板の外側に配設される各種装置や各種部材と、を備えるものが提案されている。例えば、特許文献１の遊技機は、透明板の上部に覆い被さるように本体の前方に突出した役物装置を備えており、特許文献２の遊技機は、本体の外周から上方に突出した装飾部材を備えている。これらの遊技機は、役物装置や装飾部材が本体の前方や上方に突出するように大きく構成することで、遊技者にインパクトを与えることができるとしている。また、特許文献２の遊技機では、装飾部材が本体に対して着脱可能となっており、装飾部材を取り外した状態で遊技機と装飾部材とが別梱包でホールに運搬され、ホールに設置される際に装飾部材が遊技機に取り付けられる。これにより、装飾部材が本体から突出する構成であっても、遊技機の運搬に既存のコンテナを流用できるとしている。
【先行技術文献】
【特許文献】
【０００３】
【特許文献１】特開２０１７−２３４７８号公報
【特許文献２】特開２０１２−１０５８７８号公報
【発明の概要】
【発明が解決しようとする課題】
【０００４】
ところで、このような遊技機において、遊技機の名称や各種演出で登場するキャラクタを含む文字や絵柄、模様などの意匠が施されたパネルなどの表示装置が設けられるものがある。そのような表示装置を大型化して透明板の外側に配設することで、遊技者にインパクトを与えることができる。しかしながら、表示装置を特許文献１の役物装置のように構成すると、遊技機の梱包状態が大きく嵩張って運搬時の取り扱いが困難となる。一方で、特許文献２の装飾部材のように、表示装置を本体に対して着脱可能とすることも考えられるが、表示装置を本体とは別部材として運搬する必要が生じるため、運搬する荷物の数が増えることになる。それだけでなく、遊技機をホールに設置する際に表示装置を本体に取り付ける作業も生じて手間が掛かるため、設置時の作業性が低下することになる。
【０００５】
本発明の遊技機用表示装置は、本体の遊技領域を覆う透明板の外側に表示部が配設されるものにおいて、遊技機の運搬時の取り扱いを容易としつつ設置時の作業性を向上させることを主目的とする。
【課題を解決するための手段】
【０００６】
本発明の遊技機用表示装置は、上述の主目的を達成するために以下の手段を採った。
【０００７】
本発明の遊技機用表示装置は、本体の遊技領域が透明板で覆われた遊技機に用いられる遊技機用表示装置であって、前記透明板の外側に配設され、表示面を有する表示部と、前記表示部が前記本体の外周の範囲内に収まる第１状態と、前記表示部が少なくとも一部で前記本体の外周の範囲から外れて前記表示面を前方から視認可能とする第２状態とに変化可能に、前記表示部を前記本体に支持する支持部と、を備えることを要旨とする。
【０００８】
本発明の遊技機用表示装置は、表示部と支持部とを備えており、支持部は、表示部が本体の外周の範囲内に収まる第１状態と、表示部が少なくとも一部で本体の外周の範囲から外れて表示面を前方から視認可能とする第２状態とに変化可能に、表示部を本体に支持する。これにより、表示部を第１状態とすることで、本体の外周の範囲内に表示部を収めた上で梱包することができるから、遊技機を運搬する際の梱包状態が嵩張らないものとすることができる。また、表示部を取り外して運搬する必要もないから、運搬する荷物の数が増えることもない。また、表示部を第２状態とすることで表示面が視認可能となるから、遊技機を設置する際に表示部を本体に組み付ける作業を行う必要がない。したがって、遊技機の運搬時の取り扱いを容易としつつ遊技機の設置時の作業性を向上させることができる。
【０００９】
本発明の遊技機用表示装置において、前記支持部は、前記本体の前面に位置する部材のうち前面からの高さが最も高い部材の高さ範囲内に前記第１状態の前記表示部が収まるように、前記表示部を支持するものとしてもよい。こうすれば、遊技機本体の前面からの高さ方向に梱包状態が嵩張るのを防止して、運搬時の取り扱いをより容易なものとすることができる。
【００１０】
本発明の遊技機用表示装置において、前記表示部を前記第２状態でロックするロック部を備えるものとしてもよい。こうすれば、表示部を第２状態に変化させて使用する際に、予期せずに第１状態に変化するのを防止することができるから、表示部が第１状態と第２状態とに変化するように構成する場合の安全性を確保することができる。
【００１１】
この態様の本発明の遊技機用表示装置において、前記ロック部は、ロックの解除操作が行われる解除操作部を有し、前記解除操作部は、前記透明板に覆われる位置に設けられるものとしてもよい。遊技領域を覆う透明板は、通常は施錠装置の解錠により開放可能に構成されるから、解除操作部を透明板に覆われる位置とすることで誤ってロックが解除されるのを防止することができる。
【００１２】
本発明の遊技機用表示装置において、前記支持部は、前記第１状態で前記表示面が前記透明板側を向き、前記第２状態で前記表示面が前方を向くように、前記表示部を軸回りに回動可能に支持するものとしてもよい。こうすれば、簡易な構成で表示部を収容状態と使用状態とに変化させることができる。
【００１３】
本発明の遊技機用表示装置において、前記表示部として、前記表示面に意匠が設けられた意匠表示部と、前記表示面に遊技に関する情報が表示される情報表示部とを有するものとしてもよい。こうすれば、意匠の表示と情報の表示とが可能で、且つ、運搬時の取り扱いと設置時の作業性のよいものとすることができる。
【発明の効果】
【００１４】
本発明の遊技機用表示装置によれば、本体の遊技領域を覆う透明板の外側に表示部が配設されるものにおいて、遊技機の運搬時の取り扱いを容易としつつ設置時の作業性を向上させることができる。
【図面の簡単な説明】
【００１５】
【図１】意匠表示装置３０を備える遊技機１の構成図である。
【図２】遊技機１の制御回路の構成図である。
【図３】意匠表示装置３０が収容状態の遊技機１の正面図である。
【図４】意匠表示装置３０の構成図である。
【図５】意匠表示部３１を除いた意匠表示装置３０の構成図である。
【図６】支持部３２とロック機構４０の断面構成図である。
【図７】収容状態の意匠表示装置３０を含む遊技機１の側面図である。
【図８】使用状態の意匠表示装置３０を含む遊技機１の側面図である。
【図９】変形例の遊技機１００の構成図である。
【発明を実施するための形態】
【００１６】
次に、本発明を実施するための形態について説明する。
【００１７】
図１は意匠表示装置３０を備える遊技機１の構成図であり、図２は遊技機１の制御回路の構成図である。遊技機１は、遊技球を用いて遊技を行うパチンコ機として構成され、図１に示すように、略長方形状の本体２と、本体２の前面中央に設けられ遊技球が流下可能な遊技領域を有する遊技盤３と、遊技盤３の上方に設けられ種々の効果音や報知音を出力するスピーカ４と、遊技盤３の下方に設けられ遊技球を貯留する上受け皿５および下受け皿６と、上受け皿５に貯留されている遊技球を遊技盤３へ発射するための発射ハンドル７と、上受け皿５の中央に設けられ遊技者による操作が可能な演出ボタン８と、を備える。また、遊技機１は、本体２に対して一辺（例えば左辺）を回動軸として回動可能に取り付けられた前面枠９と、前面枠９に嵌め込まれたガラス板１０（透明板）と、を備え、ガラス板１０を介して遊技盤３（遊技領域）が視認可能となっている。なお、前面枠９には、前面枠９を本体２に対して施錠するための図示しない施錠装置が設けられており、ホールの関係者（店員）などが施錠装置に鍵を差し込んで回すことにより施錠装置が解錠されて前面枠９をガラス板１０と共に前方に開放することができる。また、遊技機１は、本体２の上部にガラス板１０よりも外側（前方）に突出するように設けられた意匠表示装置３０を備える。
【００１８】
遊技盤３は、遊技領域の右下部に配置された図柄表示装置１１と、遊技領域の中央に配置され各種演出画像を表示する液晶表示装置１２と、液晶表示装置１２の下方に配置され遊技球が入球可能な第１始動口（固定始動口）１３と、第１始動口１３の下方に開閉可能に配置され遊技球が入球可能な第２始動口（可変始動口）１４と、液晶表示装置１２の右下に開閉可能に配置され遊技球が入球可能な大入賞口１５と、遊技領域の下方まで流下した遊技球を回収するためのアウト口１６と、が設けられている。
【００１９】
遊技機１は、第１始動口１３や第２始動口１４への遊技球の入球に伴い、図柄表示装置１１で特別図柄の変動表示を行い、特別図柄の変動表示の終了に伴い特別図柄が大当り図柄で停止表示されると、大入賞口１５を開放する大当り遊技を実行する。また、遊技機１は、特別図柄の変動表示中に、液晶表示装置１２で演出図柄を変動表示させ、特別図柄が大当り図柄で停止表示される場合には演出図柄を当り図柄で停止表示させ、特別図柄が外れ図柄で停止表示される場合には演出図柄を外れ図柄で停止表示させる図柄変動演出を行う。図柄変動演出では、演出図柄の変動表示を伴ってリーチ演出や予告演出、ボタン演出、キャラクタ演出なども行われ、これらの演出によって特別図柄が大当り図柄（演出図柄が当り図柄）で停止表示される可能性を遊技者に示唆する。
【００２０】
遊技機１は、図２に示すように、遊技の基本的な進行の制御を司る主制御部２０と、賞球や球貸の払い出しに関する制御を司る払出制御部２１と、遊技球の発射に関する制御を司る発射制御部２２と、遊技の進行に伴って行われる各種演出の全体的な制御を司るサブ制御部２３と、を備える。主制御部２０には、第１始動口１３への遊技球の入球を検知する始動口スイッチ１３ａや第２始動口１４への遊技球の入球を検知する始動口スイッチ１４ａ、大入賞口１５への遊技球の入球を検知する大入賞口スイッチ１５ａからの検知信号や意匠表示装置３０の後述するロック機構４０によるロックを検知するロックセンサ４０ａからの検知信号などが入力されている。主制御部２０からは、大入賞口１５を開閉する大入賞口ソレノイド１５ｂへの駆動信号や図柄表示装置１１への表示信号などが出力されている。主制御部２０は、払出制御部２１や発射制御部２２、サブ制御部２３と通信しており、各種指令信号（コマンドや駆動信号など）やデータのやり取りを行っている。
【００２１】
払出制御部２１からは、賞球などの払い出しを行う払出モータ５ａへの駆動信号などが出力されている。発射制御部２２には、発射ハンドル７に設けられたタッチセンサ７ａからの検知信号が入力され、発射制御部２２からは、遊技球を遊技領域内へ発射させる発射モータ７ｂへの駆動信号が出力されている。サブ制御部２３は、液晶表示装置１２の表示制御を行う表示制御基板１２ａや意匠表示装置３０の点灯制御や図示しない可動装飾役物の駆動、図示しないランプの点灯などを行う装飾駆動基板３０ａ、スピーカ４を駆動するアンプ基板４ａ、演出ボタン８の操作を検知するボタンスイッチからの検知信号を入力するボタン基板８ａなどが接続されている。
【００２２】
次に、意匠表示装置３０の構成について説明する。図３は意匠表示装置３０が収容状態の遊技機１の正面図であり、図４は意匠表示装置３０の構成図であり、図５は意匠表示部３１を除いた意匠表示装置３０の構成図であり、図６は支持部３２とロック機構４０の断面構成図である。図６（ａ）は図５のＡ−Ａ断面に本体２やガラス板１０の断面を加えたものである。意匠表示装置３０は、意匠が設けられた表示面３１ａを有する略平板状の意匠表示部（意匠表示板）３１と、意匠表示部３１を本体２に対し回動可能に支持する支持部３２と、意匠表示部３１を回動不能にロックするためのロック機構４０とを備える。
【００２３】
意匠表示部３１は、回動により図３〜図５，図６（ａ）に示す収容状態（第１状態）と、図１，図６（ｂ）に示す使用状態（第２状態）とに変化可能に支持部３２に支持される。収容状態の意匠表示部３１は、表示面３１ａがガラス板１０と対向して正面から視認できない状態であり、遊技領域の一部を覆うと共に正面視で本体２の外周（外縁）の範囲内に収まるものとなる。また、使用状態の意匠表示部３１は、表示面３１ａが前方を向いて正面から視認できる状態であり、全体が本体２の外周の範囲から上方に外れたものとなる。なお、使用状態で意匠表示部３１の全体が本体２の外周の範囲から外れるものに限られず、意匠表示部３１の一部が外れるものとしてもよい。表示面３１ａには、図示は省略するが、遊技機１の名称やキャラクタ演出のキャラクタなど遊技に関する文字や絵柄、模様などの意匠が設けられる。本実施形態では、意匠表示部３１にパネルが着脱可能となっており、そのパネルの前面が表示面３１ａに相当する。また、このパネルは遊技機１の種類に応じたものに交換可能である。なお、意匠表示部３１内には、図示しないＬＥＤランプが内蔵されており、装飾駆動基板３０ａによりＬＥＤランプの点灯制御が行われる。
【００２４】
支持部３２は、意匠表示部３１の裏側の左右両端に一端が固定される一対の支持アーム３３と、一対の支持アーム３３の他端が左右の軸端面に固定される回動軸３４と、本体２の前面に固定され回動軸３４を回動可能に収容する軸収容部３５とを備える。支持アーム３３には、図示は省略するが、意匠表示部３１に内蔵されたＬＥＤランプへの配線が配策されている。軸収容部３５には、左右方向の中央部に下方に角孔状に貫通した貫通孔３５ａが形成されており、回動軸３４には回動位置により貫通孔３５ａに連通するように径方向内側に窪んだ窪み部３４ａが形成されている。なお、図６では、回動軸３４からの支持アーム３３の延在方向を点線で示す。
【００２５】
ロック機構４０は、図６に示すように、軸収容部３５の下方に設けられ貫通孔３５ａと対向するように上方に開口した角孔状の収容孔４１ａを有する機構収容部４１と、貫通孔３５ａと収容孔４１ａとにわたって配置され先端側（貫通孔３５ａ側）が先細りとなる角棒状のロックピン４２と、収容孔４１ａ内に配置されロックピン４２を貫通孔３５ａ側に付勢するスプリング４３とを備える。ロックピン４２は、軸方向の略中央においてガラス板１０と対向する面に部分的に窪んだ窪み部４２ａが形成され、窪み部４２ａと反対側の面に外方に突出した検知片４２ｂが設けられている。また、ロック機構４０は、検知片４２ｂを検知可能なロックセンサ４０ａを備える。
【００２６】
ロック機構４０は、図６（ａ）に示すように回動軸３４の窪み部３４ａが貫通孔３５ａに連通していない状態では、スプリング４３の付勢力に抗して回動軸３４によりロックピン４２が押し下げられる。この状態では、回動軸３４をロックすることはできず、検知片４２ｂもロックセンサ４０ａの検知範囲外となる。また、意匠表示部３１の使用状態まで回動軸３４が回動すると、図６（ｂ）に示すように回動軸３４の窪み部３４ａが貫通孔３５ａに連通する状態となる。この状態では、スプリング４３の付勢力によりロックピン４２が上昇して窪み部３４ａに嵌まり込むことになる。ロックピン４２が窪み部３４ａを相対的に乗り越えるためにはスプリング４３の付勢力に抗してロックピン４２を押し下げる必要がある。本実施形態では、意匠表示部３１の自重や多少の荷重を掛けただけではロックピン４２が窪み部３４ａを相対的に乗り越えることができないようにスプリング４３の付勢力や窪み部３４ａの深さが定められている。これにより、回動軸３４が回動不能となるため、ロック機構４０は使用状態の意匠表示部３１をロックすることができる。また、この状態では、検知片４２ｂがロックセンサ４０ａの検知範囲内に位置し、ロックセンサ４０ａが検知片４２ｂを検知する。即ち、ロックセンサ４０ａは、ロック機構４０による意匠表示部３１のロックを検知して、その検知信号が主制御部２０に入力される。
【００２７】
続いて、こうして構成された意匠表示装置３０を備える遊技機１のホールへの運搬やホールでの設置について説明する。図７は収容状態の意匠表示装置３０を含む遊技機１の側面図であり、図８は使用状態の意匠表示装置３０を含む遊技機１の側面図である。遊技機１をホールへ運搬する際には、図７に示すように意匠表示装置３０を収容状態とした上で、遊技機１を梱包して運搬することができる。なお、図示は省略するが、収容状態の意匠表示装置３０の意匠表示部３１とガラス板１０との間には、両者の接触を防止するための緩衝材を挟むものとする。ここで、本体２の前面には、上受け皿５や下受け皿６、図示しない装飾部材などの各種部材が設けられており、それらのうち前面からの高さが最も高い部材（ここでは下受け皿６）の高さを高さＨ０とする。収容状態の意匠表示部３１は、この高さＨ０よりも本体２側即ち高さＨ０の範囲内に収まるものとなっている。また、上述したように、意匠表示部３１は正面視で本体２の外周の範囲内に収まっている。このため、意匠表示部３１を収容状態として遊技機１を梱包することで、梱包状態が嵩張るのを防止することができる。また、意匠表示部３１を取り外して遊技機１と別梱包で運搬する必要もない。したがって、遊技機１の運搬時の取り扱いを容易なものとすることができる。なお、意匠表示部３１は、高さＨ０の範囲から外れるまでに十分な余裕があるため、表示面３１ａに立体的な意匠を施しても高さＨ０の範囲内に収めることができる。
【００２８】
また、遊技機１をホールへ設置する際には、遊技機１の設置者などは、収容状態にある意匠表示部３１を掴みながら意匠表示部３１を持ち上げるように上方に回動させることで、図８に示す使用状態に変化させることができる。このとき、上述したように、ロックピン４２が回動軸３４の窪み部３４ａに嵌まり込んで意匠表示部３１が使用状態でロックされる。これにより、意匠表示部３１が自重などにより落下するのを防止することができる。また、ロックを解除する場合、遊技機１の設置者などは、使用状態にある意匠表示部３１を支えつつ窪み部４２ａに指を掛けてスプリング４３の付勢力に抗してロックピン４２を引き下げてから、窪み部３４ａが貫通孔３５ａに連通しない回動位置まで意匠表示部３１（回動軸３４）を下方に回動させる必要がある。即ち、窪み部４２ａを用いた解除操作によりロックを解除する必要があるところ、図８に示すように窪み部４２ａはガラス板１０に覆われるため、ガラス板１０を開けなければロックを解除することができない。上述したように、ガラス板１０を開けるためには前面枠９の施錠装置の解錠が必要であり、施錠装置の鍵をもたない者（遊技者など）はガラス板１０を開けることはできない。これらのことから、遊技者などが誤って解除操作を行って意匠表示部３１のロックを解除するのを防止することができるから、意匠表示部３１を回動可能とした場合の安全性を確保することができる。なお、窪み部３４ａが貫通孔３５ａに連通しない回動位置まで意匠表示部３１を下方に回動させると、ロックピン４２が上昇しても窪み部３４ａに嵌まり込むことはないため、窪み部４２ａから指を離してガラス板１０を閉じてから意匠表示部３１をさらに下方に回動させることで、意匠表示部３１を収容状態に変化させることができる。
【００２９】
また、上述したように、意匠表示部３１がロックされるとロックセンサ４０ａからの検知信号が主制御部２０に入力されるため、主制御部２０はその検知信号を制御に用いるものとしてもよい。例えば、ロックの検知信号が入力されることを、特別図柄の変動表示の開始などの遊技の実行条件としたり、液晶表示装置１２の画面の表示条件としたり、遊技機１の電源の投入条件としたりすることができる。このようにすれば、意匠表示部３１が使用状態で確実にロックされなければ遊技を開始することができないものとなる。このため、意匠表示部３１のロックが不完全な状態で遊技者が遊技を開始して遊技中に意匠表示部３１が予期せずに下方に回動するのを未然に防止することができるから、遊技者の安全性を確保することができる。なお、ロックセンサ４０ａからの検知信号は、主制御部２０に入力されるものに限られず、サブ制御部２３に入力されるものとしてもよい。
【００３０】
以上説明した本実施形態の意匠表示装置３０は、意匠表示部３１が収容状態と使用状態とに変化可能に支持部３２により本体２に支持される。このため、意匠表示部３１を収容状態として遊技機１を梱包することにより、遊技機１を運搬する際の梱包状態が嵩張らないものとして運搬時の取り扱いを容易なものとすることができる。また、意匠表示部３１を本体２に組み付ける作業などを行う必要がないから、遊技機１の設置時の作業性を向上させることができる。
【００３１】
また、支持部３２は、本体２の前面からの高さが最も高い部材の高さＨ０の範囲内に収容状態の意匠表示部３１が収まるように意匠表示部３１を支持するから、梱包状態の遊技機１が嵩張るのをより確実に防止して、運搬時の取り扱いをより容易なものとすることができる。
【００３２】
また、意匠表示装置３０は、意匠表示部３１を使用状態でロックするロック機構４０を備えるから、意匠表示部３１が予期せずに使用状態から収容状態に変化するのを防止して安全性を確保することができる。また、ロック機構４０は、ロックの解除操作が行われる窪み部４２ａがガラス板１０に覆われるから、誤ってロックが解除されるのを防止することができる。
【００３３】
また、意匠表示装置３０は、収容状態で表示面３１ａがガラス板１０側を向き、使用状態で表示面３１ａが前方を向くように、支持部３２が意匠表示部３１を回動可能に支持するから、簡易な構成で収容状態と使用状態とに変化させることができる。
【００３４】
本実施形態では、表示面３１ａに意匠が施された意匠表示部３１を備える意匠表示装置３０を例示したが、これに限られず、表示面に遊技に関する情報が表示される液晶画面などの情報表示部を備えるものとしてもよい。また、意匠表示部および情報表示部のいずれかを備えるものに限られず、両方備えるものとしてもよい。図９は変形例の遊技機１００の構成図である。図示するように、遊技機１００の表示装置１３０は、本実施形態と同じ意匠表示部３１と、情報表示面１５１ａに遊技に関する情報が表示される情報表示部１５１とを備える。情報表示部１５１は、意匠表示部３１の下端に取り付けられ、意匠表示部３１と共に収容状態および使用状態に変化可能である。こうすれば、意匠の表示と情報の表示とを可能としつつ、遊技機１００の運搬時の取り扱いと設置時の作業性をよいものとすることができる。なお、遊技に関する情報は、例えば、特別図柄の変動表示回数に関する情報や大当り遊技の実行回数に関する情報、払い出される賞球に関する情報などが挙げられる。また、遊技に関する情報を表示するものに限られず、液晶表示装置１２で表示される各種演出画像の一部（キャラクタやメッセージなど）が表示される液晶画面などの表示部（サブ液晶表示部）としてもよい。
【００３５】
本実施形態では、支持部３２が左右それぞれに一つずつ（一対に）設けられた支持アーム３３を介して意匠表示部３１を回動可能に支持するものとしたが、これに限られるものではない。例えば、多関節型のロボットアームのように複数の支持アームを介して意匠表示部３１を回動可能に支持するものとしてもよい。そのようにする場合、意匠表示部３１の裏側の中央を支持するものとしてもよい。あるいは、支持アームを介さずに意匠表示部３１を支持するものとしてもよい。例えば、意匠表示部３１の左右の両側面をスライド可能に支持するスライド支持部を本体２に設け、意匠表示部３１が収容状態と使用状態とにスライドにより変化可能としてもよい。
【００３６】
本実施形態では、ロックの解除操作を行うための窪み部４２ａがガラス板１０に覆われるものとしたが、これに限られるものではない。例えば、ロック機構４０を使用状態の意匠表示部３１の裏側となる位置に設け、窪み部４２ａが意匠表示部３１に覆われるものなどとしてもよい。あるいは、ロックの解除操作を行うための解除操作部が覆われないものとしてもよいが、誤ってロックが解除されるのを防止するため覆われるものが好ましい。
【００３７】
本実施形態では、ロック機構４０が使用状態の意匠表示部３１をロックしたが、使用状態だけでなく収容状態の意匠表示部３１をロックしてもよい。また、意匠表示部３１を収容状態とする回動位置（図７参照）を越えて回動軸３４が回動しないように回動範囲を規制してもよい。例えば、回動軸３４に部分的に径方向に拡大された拡径部を設け、軸収容部３５内を拡径部の周方向への移動を許容するように部分的に内径を拡大する。また、拡大範囲の両端に拡径部が当接可能な当接壁部を、意匠表示部３１を収容状態とする位置と使用状態とする位置とに設けることで、回動範囲を規制するものなどとしてもよい。
【００３８】
本実施形態では、本体２の前面からの高さが最も高い部材の高さＨ０の範囲内に収容状態の意匠表示部３１が収まるものとしたが、これに限られず、収容状態の意匠表示部３１が高さＨ０の範囲を超えるものとしてもよい。
【００３９】
また、本発明をパチンコ機１に適用するものとしたが、これに限定されるものではなく、パチンコ機以外の遊技機、例えばスロットマシンやスロットマシンとパチンコ機との融合機、その他の遊技機に本発明を適用してもよい。
【００４０】
本実施形態の主要な要素と課題を解決するための手段の欄に記載した発明の主要な要素との対応関係について説明する。本実施形態では、意匠表示装置３０が「遊技機用表示装置」に相当し、意匠表示部３１が「表示部」に相当し、支持部３２が「支持部」に相当する。ロック機構４０が「ロック部」に相当する。ロックピン４２の窪み部４２ａが「解除操作部」に相当する。
【００４１】
以上、本発明の実施の形態について説明したが、本発明はこうした実施形態に何等限定されるものではなく、本発明の要旨を逸脱しない範囲内において、種々なる形態で実施し得ることは勿論である。
【符号の説明】
【００４２】
１，１００  遊技機、２  本体、３  遊技盤、４  スピーカ、４ａ  アンプ基板、５  上受け皿、５ａ  払出モータ、６  下受け皿、７  発射ハンドル、７ａ  タッチセンサ、７ｂ  発射モータ、８  演出ボタン、８ａ  ボタン基板、９  前面枠、１０  ガラス板、１１  図柄表示装置、１２  液晶表示装置、１２ａ  表示制御基板、１３  第１始動口、１３ａ，１４ａ  始動口スイッチ、１４  第２始動口、１５  大入賞口、１５ａ  大入賞口スイッチ、１５ｂ  大入賞口ソレノイド、１６  アウト口、２０  主制御部、２１  払出制御部、２２  発射制御部、２３  サブ制御部、３０  意匠表示装置、３０ａ  装飾駆動基板、３１  意匠表示部、３１ａ  表示面、３２  支持部、３３  支持アーム、３４  回動軸、３４ａ  窪み部、３５  軸収容部、３５ａ  貫通孔、４０  ロック機構、４０ａ  ロックセンサ、４１  機構収容部、４１ａ  収容孔、４２  ロックピン、４２ａ  窪み部、４２ｂ  検知片、４３  スプリング、１３０  表示装置、１５１  情報表示部、１５１ａ  情報表示面。
【図１】
2019122434.tif 000003
【図２】
2019122434.tif 000004
【図３】
2019122434.tif 000005
【図４】
2019122434.tif 000006
【図５】
2019122434.tif 000007
【図６】
2019122434.tif 000008
【図７】
2019122434.tif 000009
【図８】
2019122434.tif 000010
【図９】
2019122434.tif 000011